(57)【要約】【課題】効果的なルアーアクションを実現し、対象魚に対するアピール効果を得ることのできる釣り用ルアーを提供する。【解決手段】ルアーボディ１と、ルアーボディ１の前端側で斜め下方に向けて突出するリップ２とを備えたクランクベイト型の釣り用ルアーであって、ルアーボディ１の両側部下方に一体形成された隆起部１０６と、各隆起部１０６に形成されるとともに、前方部にて開口し、底１０６ｂがルアーボディ１の表面と面一にされる凹部１０６ａとを備え、これら隆起部１０６及び凹部１０６ａにより、上下部及び後部を囲むように略Ｕ字を横にした形状を有する壁部１０７ａが構成される。【選択図】　　　図１
0003097321.tif 000002
【実用新案登録請求の範囲】
【請求項１】
ルアーボディと、
上記ルアーボディの両側部下方に一体形成された隆起部と、
上記各隆起部に形成された凹部とを備えたことを特徴とする釣り用ルアー。
【請求項２】
上記凹部はその前方部にて開口し、上記凹部の底が上記ルアーボディの表面と面一にされることを特徴とする請求項１に記載の釣り用ルアー。
【請求項３】
上記隆起部は前後に長い形状を有することを特徴とする請求項１又は２に記載の釣り用ルアー。
【請求項４】
ルアーボディの両側部下方に一部領域の上下部及び後部を囲む壁部が一体形成されていることを特徴とする釣り用ルアー。
【請求項５】
上記上下部及び後部を囲む壁部は略Ｕ字を横にした形状を有することを特徴とする請求項４に記載の釣り用ルアー。
【請求項６】
上記一部領域は前後に長い形状を有することを特徴とする請求項４又は５に記載の釣り用ルアー。
【請求項７】
上記壁部の内外壁部面が滑らかに傾斜して上記ルアーボディの表面に連続することを特徴とする請求項４〜６のいずれか１項に記載の釣り用ルアー。
【請求項８】
ルアーボディと、
上記ルアーボディの前端側で斜め下方に向けて突出するリップとを備えたクランクベイト型の釣り用ルアーであって、
上記ルアーボディの両側部下方に一体形成された隆起部と、
上記各隆起部に形成されるとともに、前方部にて開口し、底が上記ルアーボディの表面と面一にされる凹部とを備え、
上記隆起部及び上記凹部により、上下部及び後部を囲む壁部が構成されることを特徴とする釣り用ルアー。
【考案の詳細な説明】
【０００１】
【考案の属する技術分野】
本考案は、ルアーフィッシングに使用される釣り用ルアーに関する。
【０００２】
【従来の技術】
ルアーフィッシングに使用される釣り用ルアーとしては、多種多様なものが知られている。そういった多くの釣り用ルアーの中から、ユーザは対象魚の種類や釣り場の状況等の応じて適宜なものを選択する。
【０００３】
【考案が解決しようとする課題】
ところで、釣り用ルアーにあっては、対象魚にアピールするための遊泳中のルアーアクションが重要なポイントとなる。効果的なルアーアクションを実現するためには、ユーザのテクニックも重要であるが、釣り用ルアーの特徴が重要であり、例えばルアーボディに工夫を持たせて、誰でもが簡単に効果的なルアーアクションを得られるようにすることが求められる。
【０００４】
本考案は上記のような点に鑑みてなされたものであり、効果的なルアーアクションを実現し、対象魚に対するアピール効果を得ることのできる釣り用ルアーを提供することを目的とする。
【０００５】
【課題を解決するための手段】
本考案の釣り用ルアーは、ルアーボディと、上記ルアーボディの両側部下方に一体形成された隆起部と、上記各隆起部に形成された凹部とを備えた点に特徴を有する。この場合、上記凹部はその前方部にて開口し、上記凹部の底が上記ルアーボディの表面と面一にされるようにしてもよい。また、上記隆起部は前後に長い形状を有するようにしてもよい。
【０００６】
本考案の他の釣り用ルアーは、ルアーボディの両側部下方に一部領域の上下部及び後部を囲む壁部が一体形成されている点に特徴を有する。この場合、上記上下部及び後部を囲む壁部は略Ｕ字を横にした形状を有するようにしてもよい。また、上記一部領域は前後に長い形状を有するようにしてもよい。また、上記壁部の内外壁部面が滑らかに傾斜して上記ルアーボディの表面に連続するようにしてもよい。
【０００７】
本考案の他の釣り用ルアーは、ルアーボディと、上記ルアーボディの前端側で斜め下方に向けて突出するリップとを備えたクランクベイト型の釣り用ルアーであって、上記ルアーボディの両側部下方に一体形成された隆起部と、上記各隆起部に形成されるとともに、前方部にて開口し、底が上記ルアーボディの表面と面一にされる凹部とを備え、上記隆起部及び上記凹部により、上下部及び後部を囲む壁部が構成される点に特徴を有する。
【０００８】
【考案の実施の形態】
以下、図面を参照して、本考案の釣り用ルアーの好適な実施形態について説明する。なお、本明細書でいう上下、左右、前後は、釣り用ルアーを基準にして定められる方向とする。
【０００９】
図１〜６に示す本実施形態の釣り用ルアーは、ずんぐりむっくりしたファットボディとされるクランクベイト型の釣り用ルアーであり、樹脂製のルアーボディ１と、ルアーボディ１の前端側で斜め下方に向けて突出するリップ２（水流抵抗板）とを備える。
【００１０】
ルアーボディ１の前端でリップ２より前方にはアイ３が配設され、下面（下腹部）及び後端にはフックハンガ４、５がそれぞれ配設される。このようにした釣り用ルアーを使用するときは、アイ３に図示しない釣り糸が結ばれ、フックハンガ４、５に図示しないフック（釣り針）が装着される。
【００１１】
ルアーボディ１は、図２に示す側面図において、前方（顔部側）及び後方（尾部側）を絞るようにした略木の葉形状を呈する。ただし、ルアーボディ１の尾部下面では、両側部が滑らかに凹んで下面中央に下方に突出する突起部１０１が形成され、突起部１０１に前後に貫通する貫通孔１０２が形成される。また、ルアーボディ１の顔部では、左右の眼部１０３の上半分程度が上方に突出するような立体形状とされる。このように眼部１０３をカサ形状部位とすることにより水中を潜ったときの水流抵抗面積を大きくすることができる。
【００１２】
なお、ルアーボディ１の顔部では、正面図においてへの字状の口１０４やえら１０５が立体的に再現される。また、ルアーボディ１内には、適宜おもりが配設される。
【００１３】
上述したように本実施形態の釣り用ルアーはファットボディを有し、図５に示す正面図において、ルアーボディ１の最も太い胴回りが円に近い形状を有する。
【００１４】
そして、ルアーボディ１の太い胴回り部分において、ルアーボディ１の両側部下方、換言すれば下面両側には、前後に長い形状を有する隆起部１０６がそれぞれ一体形成される。これら隆起部１０６には凹部１０６ａが形成される。各凹部１０６ａはその前方部にて開口し、凹部１０６ａの底１０６ｂがルアーボディ１の表面と面一にされる。
【００１５】
即ち、ルアーボディ１の両側部下方、換言すれば下面両側には、前後に長い形状の領域１０７の上下部及び後部を囲む壁部１０７ａが形成されることになる。これら壁部１０７ａはＵ字を横にしたような形状を有するとともに、図６に示すように、各壁部１０７ａの内外壁部面が滑らかに傾斜してルアーボディ１の表面に連続する。なお、ここでは、壁部１０７ａがＵ字を横にしたような形状を有する例を説明したが、それ以外にも例えば「コ」形状や「＞」形状としてもよい。
【００１６】
以上述べた実施形態の釣り用ルアーでは、図示しないロッドを立ててリトリーブすれば、水面上で高速なドッグウォークさせるようなルアーアクションが可能である。それに対して、ロッドを寝かせてリトリーブすれば、ルアーボディ１の下面側の貫通孔１０２を通る水流によってルアーの浮上を抑えて、水面下をダイナミックに泳がせるようなルアーアクションが可能である。
【００１７】
そして、ルアーボディ１の両側部下方に前方部で開口する凹部１０６ａを有する突出部１０６が形成され、上下部及び後部を囲む壁部１０７ａが構成されるようになっているので、ルアーアクション時に凹部１０６ａ（即ち、壁部１０７ａで囲まれた部分）で水をつかんで、対象魚にアピールする大きな動きをだすことができる。より具体的には、左右の凹部１０６ａ（壁部１０７ａで囲まれた部分）に水が流れ込むことにより渦流が発生し、その影響で左右に首振りするようなルアーアクションが可能となる。
【００１８】
また、水面上であれば、凹部１０６ａ（壁部１０７ａ）に水がぶつかることにより音や気泡を発生させて、集魚効果を発揮させることができる。更に凹部１０６ａ（壁部１０７ａ）がある分だけ引き波や押し波等を大きくすることができ、水流の攪拌を生み出して対象魚に対するアピール力を大きくすることができる。
【００１９】
また、水面下であれば、凹部１０６ａ（壁部１０７ａ）に水がぶつかることにより音を発生させて、集魚効果を発揮させることができる。
【００２０】
なお、上記実施形態において示した各部の形状及び構造は、何れも本考案を実施するにあたっての具体化のほんの一例を示したものに過ぎず、これらによって本考案の技術的範囲が限定的に解釈されてはならないものである。すなわち、本考案はその精神、又はその主要な特徴から逸脱することなく、様々な形で実施することができる。例えば、ルアーボディ１の形状は図示したものに限定されるものではなく、本考案は各種形状のルアーボディに適用することができる。
【００２１】
【考案の効果】
以上述べたように本考案によれば、ルアーボディの両側部下方に凹部を有する突出部が形成され、上下部及び後部を囲む壁部が構成されるようになっているので、そこで水をつかんで、左右に首振りするようなルアーアクションが可能となり、対象魚にアピールする大きな動きをだすことができる。また、音や気泡を発生させたり、引き波や押し波等を大きくして、水流の攪拌を生み出したりすることができる。
【図面の簡単な説明】
【図１】本実施形態の釣り用ルアーの上方から見た斜視図である。
【図２】本実施形態の釣り用ルアーの側面図である。
【図３】本実施形態の釣り用ルアーの下方から見た斜視図である。
【図４】本実施形態の釣り用ルアーの底面図である。
【図５】本実施形態の釣り用ルアーの正面図である。
【図６】図３のＶＩ−ＶＩ線断面を模式的に表す図である。
【符号の説明】
１　　　　ルアーボディ
２　　　　リップ
３　　　　アイ
４、５　　フックハンガ
１０１　　突起部
１０２　　貫通孔
１０３　　眼部
１０４　　口
１０５　　えら
１０６　　隆起部
１０６ａ　凹部
１０６ｂ　底
１０７　　領域
１０７ａ　壁部
【図１】
0003097321.tif 000003
【図２】
0003097321.tif 000004
【図３】
0003097321.tif 000005
【図４】
0003097321.tif 000006
【図５】
0003097321.tif 000007
【図６】
0003097321.tif 000008